(57)【要約】  【課題】  テレビジョン信号としての分配出力にデジタル信号の影響が及ぶのを抑制する。  【解決手段】  ケーブルモデムモジュール装置２０２のアナログ信号処理部３０１の回路基板４０２に分配信号を出力するためのＲＦコネクタ２０３を配設し、回路基板４０２をＲＦコネクタ２０３を残してシールドケース４０３で覆い、シールドケース４０３で覆われたアナログ信号処理部３０１をデジタル信号処理部３０２が搭載された回路基板４０１に装着し、さらにこの回路基板４０１とシールドケース４０３で覆われたアナログ信号処理部３０１を、ＲＦコネクタ２０３を覆うことのないように別のシールドケース４０５で覆うようにした。  【選択図】図６
2006060474.tif 000002
【特許請求の範囲】
【請求項１】
ＣＡＴＶセンター局とケーブルを介して接続される第１のコネクタと、
この第１のコネクタを介して前記ＣＡＴＶセンター局から供給される高周波信号を受信すると共に、高周波信号を前記第１のコネクタを介して前記ＣＡＴＶセンター局に送出する送受信分波手段、この送受信分波手段で受信された前記高周波信号を分配する分配手段、この分配手段で分配された高周波信号の周波数を変換する周波数変換手段とをそれぞれ構成する回路が搭載された第1の回路基板を有したアナログ信号処理部と、
このアナログ信号処理部を電磁的にシールドする第1のシールド手段と、
前記アナログ信号処理部が搭載されると共に、外部機器との間で信号の送受信処理を行う送受信処理部及び前記アナログ信号処理部から出力される信号を処理して前記送受信処理部を介して外部機器に導出し、前記外部機器からの信号を処理して前記第1のコネクタから導出すべく前記送受信分波手段に出力する変復調処理部とをそれぞれ構成する回路が搭載された第２の回路基板を有したデジタル信号処理部と、
前記第１のシールド手段でシールドされたアナログ信号処理部と前記デジタル信号処理部とを電磁的にシールドする第２のシールド手段と、
前記分配手段で分配された高周波信号を外部に導出すべく、前記第１のシールド手段及び第２のシールド手段によって覆われることなく、コネクタとの接続を許容するように前記第1の回路基板に設けられた第２のコネクタと、
を具備したことを特徴とするケーブルモデムモジュール装置。
【請求項２】
前記第２のコネクタは前記第２の回路基板の面と平行な方向に配設されていることを特徴とする請求項１に記載のケーブルモデムモジュール装置。
【請求項３】
前記第２のコネクタは前記第２のシールド手段に対して機械的に接触していないことを特徴とする請求項１に記載のケーブルモデムモジュール装置。
【請求項４】
前記第２のシールド手段は、前記第２のコネクタが位置する位置に切り欠きが設けられていることを特徴とする請求項１に記載のケーブルモデムモジュール装置。
【請求項５】
ＣＡＴＶセンター局とケーブルを介して接続される第１のコネクタと、
この第１のコネクタを介して前記ＣＡＴＶセンター局から供給される高周波信号を受信すると共に、高周波信号を前記第１のコネクタを介して前記ＣＡＴＶセンター局に送出する送受信分波手段、この送受信分波手段で受信された前記高周波信号を分配する分配手段、この分配手段で分配された高周波信号の周波数を変換する周波数変換手段とをそれぞれ構成する回路が搭載された第1の回路基板を有したアナログ信号処理部と、
このアナログ信号処理部を電磁的にシールドする第1のシールド手段と、
前記アナログ信号処理部が搭載されると共に、外部機器との間で信号の送受信処理を行う送受信処理部及び前記アナログ信号処理部から出力される信号を処理して前記送受信処理部を介して外部機器に導出し、前記外部機器からの信号を処理して前記第1のコネクタから導出すべく前記送受信分波手段に出力する変復調処理部とをそれぞれ構成する回路が搭載された第２の回路基板を有したデジタル信号処理部と、
前記第１のシールド手段でシールドされたアナログ信号処理部と前記デジタル信号処理部とを電磁的にシールドする第２のシールド手段と、
前記分配手段で分配された高周波信号を外部に導出すべく、前記第１のシールド手段及び第２のシールド手段によって覆われることなく、コネクタとの接続を許容するように前記第1の回路基板に設けられた第２のコネクタと、
この第２のコネクタを介して前記高周波信号を受けるチューナと、
を具備したことを特徴とするケーブルモデム装置。
【請求項６】
ＣＡＴＶセンター局とケーブルを介して接続される第１のコネクタと、
この第１のコネクタを介して前記ＣＡＴＶセンター局から供給される高周波信号を受信すると共に、高周波信号を前記第１のコネクタを介して前記ＣＡＴＶセンター局に送出する送受信分波手段、この送受信分波手段で受信された前記高周波信号を分配する分配手段、この分配手段で分配された高周波信号の周波数を変換する周波数変換手段とをそれぞれ構成する回路が搭載された第1の回路基板を有したアナログ信号処理部と、
このアナログ信号処理部を電磁的にシールドする第1のシールド手段と、
前記アナログ信号処理部が搭載されると共に、外部機器との間で信号の送受信処理を行う送受信処理部及び前記アナログ信号処理部から出力される信号を処理して前記送受信処理部を介して外部機器に導出し、前記外部機器からの信号を処理して前記第1のコネクタから導出すべく前記送受信分波手段に出力する変復調処理部とをそれぞれ構成する回路が搭載された第２の回路基板を有したデジタル信号処理部と、
前記第１のシールド手段でシールドされたアナログ信号処理部と前記デジタル信号処理部とを電磁的にシールドする第２のシールド手段と、
前記分配手段で分配された高周波信号を外部に導出すべく、前記第１のシールド手段及び第２のシールド手段によって覆われることなく、コネクタとの接続を許容するように前記第1の回路基板に設けられた第２のコネクタと、
この第２のコネクタを介して前記高周波信号を受ける第１のチューナと、
テレビジョン放送信号を伝送するケーブルと接続可能な第３のコネクタと、
この第３のコネクタを介して前記テレビジョン放送信号を受ける第２のチューナと、
を具備したことを特徴とする放送受信装置。
【発明の詳細な説明】
【技術分野】
【０００１】
この発明は、例えばＣＡＴＶ（Cable Television）回線を用いたネットワークとのインターフェースとなるケーブルモデムモジュール装置に関する。また、この発明は、上記したケーブルモデムモジュール装置を内蔵したケーブルモデム装置及び放送受信装置に関する。
【背景技術】
【０００２】
周知のように、例えばＣＡＴＶ回線を用いたネットワークに、ユーザの所有する例えばＰＣ（Personal Computer）等の情報端末を接続するためのインターフェースとして、ケーブルモデムモジュール装置が開発されている。このケーブルモデムモジュール装置は、ＣＡＴＶ幹線と接続されてＣＡＴＶセンター局から供給されるＣＡＴＶ信号を受信して、外部のテレビジョンチューナに向けて導出し、さらに接続されたＰＣ等の端末によって、ＣＡＴＶセンター局に対して双方向にデータのやり取りを行う機能を備えている。
【０００３】
双方向データのうちケーブルモデムモジュール装置が受信するデータ（下り信号）は、ＣＡＴＶの空きチャンネルを利用して伝送され、受信後、通常のＣＡＴＶ信号と同様に中間周波数に変換された後、デジタル信号に変換されて復調処理等を施される。したがって、ＣＡＴＶセンター局からは、通常６０ＭＨｚ〜８６０ＭＨｚのアナログ信号として送り出される。
【０００４】
また、双方向データのうち、ケーブルモデムモジュール装置からＣＡＴＶセンター局に送信されるデータ（上り信号）は、デジタル信号としてＰＣ等の端末から供給され、変調処理を施された後、アナログ信号に変換されて、５〜５０ＭＨｚの信号としてＣＡＴＶセンター局に送り出される。
【０００５】
以上の機能を実現するために、ケーブルモデムモジュール装置は、ＣＡＴＶセンター局とケーブルを介して接続されるＲＦ（Radio Frequency）同軸コネクタと、ＣＡＴＶセンター局からこのコネクタに供給される信号と、コネクタからＣＡＴＶセンター局へ送り出される信号を分波するダイプレクサを有する。
【０００６】
さらにケーブルモデムモジュール装置は、ダイプレクサで分波された受信信号を２つに分ける分配器と、この分配器の一方の出力をテレビジョンチューナに導出するための手段と、分配器の他方の出力を周波数変換する周波数変換器を有する。
【０００７】
さらにケーブルモデムモジュール装置は、周波数変換器の出力をデジタル信号に変換してからデジタル復調してＰＣ等の外部機器に送りかつＰＣ等の外部機器からの情報を受けてデジタル変調してからアナログ変換してダイプレクサに導出する変復調処理及びインターフェース部を有する。
【０００８】
このようなケーブルモデムモジュール装置は、単独で製品として売買の対象となる他、他の機器に組み込まれて例えばケーブルモデム装置として、あるいは放送受信装置として構築されることもある。
【０００９】
そのため、ケーブルモデムモジュール装置としては、小型軽量化が要求されてきており、小型化を実現するために、入出力信号線路間の距離を短くすると、入出力信号が相互間で互いに干渉しあい、出力信号の品位を充分なものとして保つことが困難になるという課題を抱えている。
【００１０】
特許文献１には、上りデータ変調回路のスプリアスがＣＡＴＶ信号に悪影響を与えるのを抑制するために、上りデータ変調回路とアップダウンチューナをそれぞれ別の金属シャーシ内にモジュール化し、さらに別の金属シャーシ内に下りデータ復調回路とダイプレクサと分配器とをモジュール化するという提案がなされている。
【００１１】
この提案においては、アップダウンチューナが、上りデータ変調回路及び下りデータ復調回路とは、それぞれ異なる金属シャーシ内にモジュール化されているため、アップダウンチューナが、デジタル信号のスプリアスの影響を受けるのを抑制することができる。
【００１２】
しかしながら、特許文献１では、各モジュールが共通の回路基板に組み込まれているため、基板の配線を介して、スプリアスが、アップダウンチューナに到達して、チューナで処理される信号の品位を低下させる恐れを有している。
【００１３】
ケーブルモデムモジュール装置においては、アップダウンチューナを一体的に含まないため、分配器から外部テレビジョンチューナへ供給する信号の品位をいかに確保するかということが重要になるが、特許文献１の提案では、回路基板を介してデジタル信号の影響を受けてしまうという問題を有している。
【特許文献１】特開平９−３２２１４２号公報
【発明の開示】
【発明が解決しようとする課題】
【００１４】
以上のように、従来、ケーブルモデムモジュール装置においては、小型化によって、デジタル信号処理部と、アナログ信号処理部が接近するため、デジタル信号のスプリアスがアナログ信号に影響を与えるという問題があった。
【００１５】
本発明は、以上の点に対処してなされたものであり、アナログ信号を分配して出力する回路部分を含むアナログ信号処理回路部分を構成する回路基板を、デジタル信号を処理する回路部分を構成する回路基板とは異なる回路基板で構成し、互いの回路部分をそれぞれ個々にシールドすると共に、アナログ信号の分配出力をコネクタを介して出力することで、デジタル信号の影響を抑制することを可能にしたケーブルモデムモジュール装置、ケーブルモデム装置及び放送受信装置を提供することを目的とする。
【課題を解決するための手段】
【００１６】
本発明のケーブルモデムモジュール装置は、ＣＡＴＶセンター局とケーブルを介して接続される第１のコネクタと、この第１のコネクタを介して前記ＣＡＴＶセンター局から供給される高周波信号を受信すると共に、高周波信号を前記第１のコネクタを介して前記ＣＡＴＶセンター局に送出する送受信分波手段、この送受信分波手段で受信された前記高周波信号を分配する分配手段、この分配手段で分配された高周波信号の周波数を変換する周波数変換手段とをそれぞれ構成する回路が搭載された第1の回路基板を有したアナログ信号処理部と、このアナログ信号処理部を電磁的にシールドする第1のシールド手段と、前記アナログ信号処理部が搭載されると共に、外部機器との間で信号の送受信処理を行う送受信処理部及び前記アナログ信号処理部から出力される信号を処理して前記送受信処理部を介して外部機器に導出し、前記外部機器からの信号を処理して前記第1のコネクタから導出すべく前記送受信分波手段に出力する変復調処理部とをそれぞれ構成する回路が搭載された第２の回路基板を有したデジタル信号処理部と、前記第１のシールド手段でシールドされたアナログ信号処理部と前記デジタル信号処理部とを電磁的にシールドする第２のシールド手段と、前記分配手段で分配された高周波信号を外部に導出すべく、前記第１のシールド手段及び第２のシールド手段によって覆われることなく、コネクタとの接続を許容するように前記第1の回路基板に設けられた第２のコネクタと、を具備したことを特徴とする。
【００１７】
本発明のケーブルモデム装置は、ＣＡＴＶセンター局とケーブルを介して接続される第１のコネクタと、この第１のコネクタを介して前記ＣＡＴＶセンター局から供給される高周波信号を受信すると共に、高周波信号を前記第１のコネクタを介して前記ＣＡＴＶセンター局に送出する送受信分波手段、この送受信分波手段で受信された前記高周波信号を分配する分配手段、この分配手段で分配された高周波信号の周波数を変換する周波数変換手段とをそれぞれ構成する回路が搭載された第1の回路基板を有したアナログ信号処理部と、このアナログ信号処理部を電磁的にシールドする第1のシールド手段と、前記アナログ信号処理部が搭載されると共に、外部機器との間で信号の送受信処理を行う送受信処理部及び前記アナログ信号処理部から出力される信号を処理して前記送受信処理部を介して外部機器に導出し、前記外部機器からの信号を処理して前記第1のコネクタから導出すべく前記送受信分波手段に出力する変復調処理部とをそれぞれ構成する回路が搭載された第２の回路基板を有したデジタル信号処理部と、前記第１のシールド手段でシールドされたアナログ信号処理部と前記デジタル信号処理部とを電磁的にシールドする第２のシールド手段と、前記分配手段で分配された高周波信号を外部に導出すべく、前記第１のシールド手段及び第２のシールド手段によって覆われることなく、コネクタとの接続を許容するように前記第1の回路基板に設けられた第２のコネクタと、この第２のコネクタを介して前記高周波信号を受けるチューナと、を具備したことを特徴とする。
【００１８】
本発明の放送受信装置は、ＣＡＴＶセンター局とケーブルを介して接続される第１のコネクタと、この第１のコネクタを介して前記ＣＡＴＶセンター局から供給される高周波信号を受信すると共に、高周波信号を前記第１のコネクタを介して前記ＣＡＴＶセンター局に送出する送受信分波手段、この送受信分波手段で受信された前記高周波信号を分配する分配手段、この分配手段で分配された高周波信号の周波数を変換する周波数変換手段とをそれぞれ構成する回路が搭載された第1の回路基板を有したアナログ信号処理部と、このアナログ信号処理部を電磁的にシールドする第1のシールド手段と、前記アナログ信号処理部が搭載されると共に、外部機器との間で信号の送受信処理を行う送受信処理部及び前記アナログ信号処理部から出力される信号を処理して前記送受信処理部を介して外部機器に導出し、前記外部機器からの信号を処理して前記第1のコネクタから導出すべく前記送受信分波手段に出力する変復調処理部とをそれぞれ構成する回路が搭載された第２の回路基板を有したデジタル信号処理部と、前記第１のシールド手段でシールドされたアナログ信号処理部と前記デジタル信号処理部とを電磁的にシールドする第２のシールド手段と、前記分配手段で分配された高周波信号を外部に導出すべく、前記第１のシールド手段及び第２のシールド手段によって覆われることなく、コネクタとの接続を許容するように前記第1の回路基板に設けられた第２のコネクタと、この第２のコネクタを介して前記高周波信号を受ける第１のチューナと、テレビジョン放送信号を伝送するケーブルと接続可能な第３のコネクタと、この第３のコネクタを介して前記テレビジョン放送信号を受ける第２のチューナと、を具備したことを特徴とする。
【発明の効果】
【００１９】
本発明によれば、ＣＡＴＶセンター局から供給されるＣＡＴＶ信号を分配してテレビジョンチューナに導出する際に、アナログ信号処理部の回路基板にＲＦコネクタを設け、このＲＦコネクタで導出するように構成したので、分配出力がデジタル信号処理部の回路基板を通過することがないため、デジタル信号の悪影響を受けることなく品位の高い信号を分配出力することができるものである。
【発明を実施するための最良の形態】
【００２０】
以下、図面を参照して、この発明のケーブルモデムモジュール装置について詳細に説明する。図１は、この実施の形態で説明するＣＡＴＶ放送システムの概略を示している。図１において、符号１０１は、ＣＡＴＶセンター局である。
【００２１】
このＣＡＴＶセンター局１０１は、ＣＡＴＶケーブル１０２を介して各加入者宅１０３に設置されたケーブルモデム装置１０４に接続されている。また、ＣＡＴＶセンター局１０１は、例えばインターネット等の各種ネットワーク情網１０５に接続されている。
【００２２】
そして、ケーブルモデム装置１０４は、ＣＡＴＶセンター局１０１から配信される各種番組の選局処理、選局された番組からの映像、音声及び文字等の各種情報の復調処理を行う機能を有する。このケーブルモデム装置１０４で復調された映像、音声及び文字等の各種情報は、テレビジョン受信機１０６に出力されてユーザの視聴に供される。
【００２３】
また、このケーブルモデム装置１０４は、ＰＣ１０７を接続可能としており、ＰＣ１０７がＣＡＴＶセンター局１０１を介して各種ネットワーク情報網１０５とデータ通信を行なうためのケーブルモデム機能を有している。
【００２４】
図２は、図１に示す、ケーブルモデム装置１０４の信号処理系を示している。すなわち、ＣＡＴＶケーブル１０２が接続されるＲＦ同軸コネクタ２０１は、ケーブルモデムモジュール装置２０２に設けられている。ケーブルモデムモジュール装置２０２は、ＣＡＴＶセンター局１０１から供給される信号を分配する分配器を含み、この分配器によって分配された信号をＲＦコネクタ２０３を介してチューナ部２０４に供給する。チューナ部２０４では、所望のチャンネルの選局が実行され、さらにテレビジョン信号処理部２０５により映像信号及び音声信号に復調される。
【００２５】
信号処理部２０５で復調された映像信号及び音声信号は、それぞれ映像出力端子２０６及び音声出力端子２０７を介して、外部のテレビジョン受信機１０６等に出力されてユーザの視聴に供される。
【００２６】
また、ＰＣ１０７から出力されるネットワーク情報網１０５へのアクセス情報は、イーサネット（登録商標）端子２０８、ケーブルモデムモジュール装置２０２、ＲＦ同軸コネクタ２０１、ＣＡＴＶケーブル１０２及びＣＡＴＶセンター局１０１を介して、所定のネットワーク情報網１０５に送出される。
【００２７】
また、ネットワーク情報網１０５からの返信情報は、ＣＡＴＶセンター局１０１、ＣＡＴＶケーブル１０２、ＲＦ同軸コネクタ２０１、ケーブルモデムモジュール装置２０２及びイーサネット（登録商標）端子２０８を介して、ＰＣ１０７に供給される。
【００２８】
ここで、図２に示すケーブルモデムモジュール装置２０２は、ＣＡＴＶセンター局１０１との通信の制御、ＣＡＴＶセンター局１０１に送信する上り信号の生成、ＣＡＴＶセンター局１０１から送信された下り信号の復調、ケーブルモデムモジュール装置２０２に接続されている外部装置（この場合ＰＣ１７）とのデータ通信の制御等を行なう機能を有している。
【００２９】
図３は、ケーブルモデムモジュール装置２０２の信号処理系を示している。このケーブルモデムモジュール装置２０２は、ＣＡＴＶセンター局１０１と、ＲＦ同軸コネクタ２０１を介して送受信する高周波信号を扱うためのアナログ信号処理部３０１と、このアナログ信号処理部３０１に対して入出力する信号をデジタル処理するデジタル信号処理部３０２とを備えている。
【００３０】
アナログ信号処理部３０１は、ＲＦ同軸コネクタ２０１を介して供給されるＣＡＴＶセンター局からの信号を受信すると共に、ＲＦ同軸コネクタ２０１を介してＣＡＴＶセンター局１０１に信号を送出するための分波機能を備えたダイプレクサ３０３を有する。
【００３１】
さらに、アナログ信号処理部３０１は、ダイプレクサ３０３で分波されたＣＡＴＶからの信号を２つに分配する分配器３０４と、分配器３０４のそれぞれの出力の利得を調整する可変利得増幅器３０５，３０６を有し、さらに可変利得増幅器３０５の出力を外部に導出するＲＦコネクタ２０３と、可変利得背増幅器３０６の出力の周波数を変換する周波数変換部３０７と、デジタル信号処理部３０２から出力される信号を増幅して上り信号としてダイプレクサ３０３に導出する増幅器３０８とを有する。
【００３２】
周波数変換部３０７は、可変利得増幅器３０６からの出力が供給される混合器３０９と、混合器３０９に周波数変換用の信号を供給する局部発振器３１０と、混合器３０９の出力から所定の周波数帯域の信号を抽出して出力するＳＡＷ（Surface Acoustic Wave）フィルタ３１１で構成され、ＲＦ信号を中間周波数信号に変換して出力する機能を有する。
【００３３】
デジタル信号処理部３０２は、ＳＡＷフィルタ３１１からの信号が供給されるトランシーバＬＳＩ（Large-scale Integrated Circuit）３１２を有する。トランシーバＬＳＩ３１２は、ＳＡＷフィルタ３１１からの信号をデジタル信号に変換するＡ／Ｄ（Analog Digital）変換処理と、変換されたデジタル信号に対してＱＡＭ（Quadrature Amplitude Modulation）復調処理を施す機能を有する。さらに、トランシーバＬＳＩ３１２は、後述するＭＡＣ部からの上りデータを１６ＱＡＭ変調する変調処理と、変調されたデジタル信号をアナログ信号に変換するＤ／Ａ（Digital Analog）変換処理機能と、周波数変換部３０７の局部発振器３１０の発振周波数を制御し、さらに可変利得増幅器３０６の利得を制御する機能を有する。Ｄ／Ａ変換された上りデータは増幅器３０８を介してダイプレクサ３０３に供給される。
【００３４】
さらにデジタル信号処理部３０２は、トランシーバＬＳＩ３１２から出力されるＱＡＭ復調されたデジタル信号を受けるＭＡＣ（Media Access Control）部３１３を有する。ＭＡＣ部３１３は、外部機器としてのＰＣ１０７と通信を行う機能を有し、このため、ＭＡＣ部３１３には、マイコン３１４と、メモリ３１５が接続され、さらにイーサネット（登録商標）Ｉ／Ｆ（Interface）３１６が接続されている。
【００３５】
ＭＡＣ部３１３は、下りデータをＩ／Ｆ３１６を介して、イーサネット（登録商標）端子２０８に接続されたＰＣ１０７に導出し、ＰＣ１０７からの上りデータを、ＭＡＣ部３１３を介してＬＳＩトランシーバ３１２に送り、変調及びアナログ変換処理を施して増幅器３０８を介してダイプレクサ３０３導出する。
【００３６】
ケーブルモデムモジュール装置２０２は、さらに、可変利得増幅器３０５を制御すべく、ケーブルモデム装置１０４内に設けられている利得制御部３１７からの利得制御信号を受ける端子３１８と、同じく、ケーブルモデム装置１０４内に設けられ、ケーブルモデムモジュール装置２０２の各部への動作電源を供給する電源回路３１９からの動作電源電圧を受ける端子３２０を備えている。
【００３７】
図３において、ＣＡＴＶセンター局１０１からのＣＡＴＶ信号は、ＲＦ同軸コネクタ２０１から、ダイプレクサ３０３を介して分配器３０４に送られ、分配器３０４で２つに分けられ、一方は、可変利得増幅器３０５を介してＲＦコネクタ２０３に導出され、チューナ部２０４に供給される。
【００３８】
分配器３０４の他方の出力は、可変利得増幅器３０６を介して周波数変換部３０８に供給される。周波数変換部３０８は、トランシーバＬＳＩ３１２の制御によって、局部発振器３１０の発振周波数が制御され、混合器３０９からＳＡＷフィルタ３１１を介して一定の周波数帯域の信号を導出するように動作するため、いわゆる選局装置としての機能を有する。すなわち、トランシーバＬＳＩ３１２が、ＳＡＷフィルタ３１１の出力にＱＡＭ変調された下り信号が存在するチャンネルに対応した局部発振周波数信号を混合器３０９に供給すべく、局部発振器３１０を制御する。
【００３９】
ＳＡＷフィルタ３１１からの下り信号はデジタル信号処理部３０２で処理されて、ＰＣ１０７に導出され、ＰＣからの上り信号は、デジタル信号処理部３０２から増幅器３０８を介してダイプレクサ３０３に供給され、ＲＦ同軸コネクタ２０１を介しＣＡＴＶセンター局１０１に伝送される。
【００４０】
図４は、ケーブルモデムモジュール装置２０２の具体的構造を説明するための分解斜視図である。図４において、符号４０１は、回路基板であり、この回路基板４０１には、図３に示したアナログ信号処理部３０１及びデジタル信号処理部３０２が実装されている。
【００４１】
アナログ信号処理部３０１は、回路基板４０２を備え、この回路基板４０２上に、ＲＦ同軸コネクタ２０１を設置するとともに、前記アナログ信号処理部３０１が形成され、さらにチューナ部２０４へＲＦ信号を導出するためのＲＦコネクタ２０３が設置されている。そして、ＲＦ同軸コネクタ２０１及びＲＦコネクタ２０３を露出させるようにして、回路基板４０２を、例えば金属等の電磁波の不要輻射を遮蔽する効果のある素材で形成されたシールドケース４０３内に収納した構成となっている。
【００４２】
さらにアナログ信号処理部３０１は、一端部が回路基板４９に接続され、他端部がシールドケース４０３を挿通して外方に突出される、アナログ信号入出力用の端子群４０４を備えている。それによって、アナログ信号処理部３０１は、その端子群４０４の他端部を回路基板４０１に接続することにより、回路基板４０１に実装されたデジタル信号処理部３０２と接続されている。
【００４３】
ケーブルモデムモジュール装置２０２は、アナログ信号処理部３０１及びデジタル信号処理部３０２が実装された回路基板４０１の周囲を、外部からの電磁波をシールドする機能を有する略６面体もしくは、それに類似した形状のシールドケース４０５で覆うことにより構成されている。
【００４４】
シールドケース４０５は、回路基板４０１の周囲４面を覆う枠状の金属ケース４０６と、この４面体の金属ケース４０６の一方の開口を覆う第１のカバー４０７と、金属ケース４０６の他方の開口を覆う第２のカバー４０８とから形成されている。
【００４５】
ここで、金属ケース４０６には、ケーブルモデムモジュール装置２０２の外部と回路基板４０１上のデジタル信号処理部３０２との電気的接続や、ケーブルモデムモジュール装置２０２の外部から回路基板４０１上の各種回路に対する電源電力の供給を目的とする端子群４０９が備えられている。
【００４６】
この端子群４０９には、例えば貫通コンデンサ等のように、金属ケース４０６を挿通して、ケーブルモデム装置１０４の図示しない回路基板に直接半田付けすることができる端子、または、簡易な構造のコネクタで接続することができる端子を用いている。この端子群４０９は、それぞれの一端部が回路基板４０１に接続され、他端部が金属ケース４０６を挿通して外方に突出されて、ケーブルモデム装置１０４の図示しない回路基板との接続に供されている。
【００４７】
図５は、回路基板４０１のアナログ信号処理部３０１が搭載されている面と反対側の面を示している。この面には、上記デジタル信号処理部３０２のトランシーバＬＳＩ３１２、ＭＡＣ部３１３及びマイコン３１４等をＩＣ化した半導体チップ５０１と、ＩＣチップ５０２化されたイーサネットＩ／Ｆ３１６とが実装されている。
【００４８】
図６は、図４に分解して示したケーブルモデムモジュール装置２０２を組み立てた状態を示す斜視図であり、ＲＦコネクタ２０３は、シールドケース４０５の第１のカバー４０７から、回路基板４０１の面と直交する方向に突出している。
【００４９】
図７は、図４，６のケーブルモデムモジュール装置２０２において、アナログ信号処理部３０１のみを取り出して、そのシールドケース４０３を開放した状態示すもので、回路基板４０２にＲＦコネクタ２０３が配設され、シールドケース４０３に設けた開口部７０１から、ＲＦコネクタ２０３の先端が突出するようにシールドケース４０３が組み立てられる。
【００５０】
以上説明したように本発明のケーブルモデムモジュール装置の一実施の形態によれば、チューナ部２０４への信号の供給をアナログ信号処理部３０１の回路基板４０２に設けたＲＦコネクタ２０３を介して行うようにしているため、デジタル信号処理部と共通の回路基板を介してチューナ部２０４へ信号を供給する場合に比べて、デジタル信号の悪影響を受け難くなり、品位の高い信号をチューナ部２０４に導出することができ、ノイズのない映像及び音声をテレビジョン受像機から出力することができるものである。
【００５１】
また、ＲＦコネクタ２０３が、シールドケース４０５と機械的に直接接触しないため、デジタル信号処理部３０２の回路基板４０１から受ける妨害を防ぐことができ、さらにシールドケース４０５に伝わるさまざまな妨害から下り受信信号やグラウンド電位（基準電位）を守ることができるものである。
【００５２】
図８は、ケーブルモデムモジュール装置２０２の他の実施の形態を示すもので、ＲＦコネクタ２０３が、回路基板４０１の面と平行する方向に突出するように設けられている。
【００５３】
この実施の形態によれば、前述した品位の高い信号をチューナ部２０４に導出することができるという効果に加えて、ＲＦコネクタ２０３の先端が、回路基板４０１の面と直交する方向に突出していないため、ケーブルモデムモジュール装置２０２をケーブルモデム装置として組み込む際に、その高さ寸法を小さくすることができ、装置を小型化することができるものである。
【００５４】
図９は、ケーブルモデムモジュール装置２０２のさらに他の実施の形態を示すもので、シールドケース４０５の金属ケース４０６に、ＲＦ同軸コネクタ２０１に対応させて、切欠き部９０１を設けたものである。
【００５５】
この実施の形態によれば、前述した品位の高い信号をチューナ部２０４に導出することができるという効果に加えて、アナログ信号処理部３０１を搭載した回路基板４０１を金属ケース４０５に組み込む際に、ＲＦコネクタ２０３が邪魔にならず、組み立て作業を簡単に行うことができるものである。
【００５６】
図１０は、ケーブルモデムモジュール装置２０２のさらに他の実施の形態を示すもので、ＲＦコネクタ２０３をシールドケース４０５から突出させないように構成したものである。
【００５７】
この実施の形態によれば、前述した品位の高い信号をチューナ部２０４に導出することができるという効果に加えて、ＲＦコネクタ２０３がシールドケース４０５から突出しないため、寸法形状を小さくすることができ、図９の実施の形態と同様に、アナログ信号処理部３０１を搭載した回路基板４０１を金属ケース４０５に組み込む際に、ＲＦコネクタ２０３が邪魔にならず、組み立て作業を簡単に行うことができるものである。さらにＲＦコネクタ２０３がシールドケース４０５に機械的に接触しないことによる効果も享受することができるものである。
【００５８】
図１１は、このケーブルモデム装置１０４の他の実施の形態を示すものであり、この実施の形態では、テレビジョン受像機１０６が、イーサネット（登録商標）接続機能を備えており、ＰＣに代わって外部機器として適用される。
【００５９】
図１２は、ケーブルモデム装置１０４の構成を示すものであり、筐体１２０１内に、ケーブルモデムモジュール装置２０２と、チューナ部２０４及びテレビジョン信号処理部２０５が組み込まれる他、図３に示す利得制御部３１７と電源回路３１９が組み込まれている。また、筐体１２０１には、外部機器が接続されるためのイーサネット（登録商標）端子２０８が設けられている。
【００６０】
図１３は、本発明に係る放送受信装置１３０１の構成を示すものであり、図１２に示すケーブルモデム装置１０４に対して、筐体１３０２内に衛星放送受信チューナ部１３０３と、地上波放送チューナ部１３０４を組み込み、さらに筐体１３０２にそれら放送を受信するアンテナからの信号を受けるＲＦ同軸コネクタ１３０５，１３０６を設けたものである。
【００６１】
この放送受信装置によれば、ケーブルモデムモジュール装置２０２からの妨害を受けることなく、ＣＡＴＶ放送、衛星放送、地上波放送の受信と、インターネット等の情報ネットワーク網へのアクセスを可能にした放送受信装置を提供することができるものである。
【００６２】
なお、本発明は、その趣旨を逸脱しない範囲で種々変更可能である。例えば、ケーブルモデムモジュール装置をテレビジョン受像機内に組み込んで、ＣＡＴＶの視聴とインターネットへのアクセスを行うように構成してもよい。
【００６３】
また、チューナ部及びテレビジョン信号処理部をＰＣ内に組み込んで、ＰＣによってＣＡＴＶの視聴とインターネットへのアクセスを行うように構成してもよい。
【００６４】
さらにまた、放送受信装置として、セットトップボックス形式のものを開示したが、表示装置を伴う装置として構成できるものであることは述べるまでもない。
【図面の簡単な説明】
【００６５】
【図１】この発明に係るケーブルモデム装置の機能を説明するために示す図。
【図２】図１に示すケーブルモデム装置の回路構成の概要を説明するために示す図。
【図３】図２に示すケーブルモデムモジュール装置の回路構成を示す図。
【図４】図３に示すケーブルモデムモジュール装置の構造を説明するために示す分解斜視図。
【図５】図３に示すケーブルモデムモジュール装置内の回路部品の配置を説明するために示す平面図。
【図６】図４に示すケーブルモデムモジュール装置を組み立てた状態を示す斜視図。
【図７】図６に示すケーブルモデムモジュール装置の要部を説明するために示す分解斜視図。
【図８】この発明に係るケーブルモデムモジュール装置の他の実施の形態を示す斜視図。
【図９】この発明に係るケーブルモデムモジュール装置のさらに他の実施の形態を説明するために示す斜視図。
【図１０】この発明に係るケーブルモデムモジュール装置のさらに他の実施の形態を説明するために示す部分斜視図。
【図１１】この発明に係るケーブルモデム装置の他の実施の形態の回路構成の概要を説明するために示す図。
【図１２】この発明に係るケーブルモデム装置の構成を説明するために示す図。
【図１３】この発明に係る放送受信装置の構成を説明するために示す図。
【符号の説明】
【００６６】
１０１…ＣＡＴＶセンター局
１０２…ケーブル
１０３…加入者宅
１０４…ケーブルモデム装置
１０５…ネットワーク情報網
１０６…テレビジョン受像機
１０７…パーソナルコンピュータ（ＰＣ）
２０１…ＲＦ同軸コネクタ
２０２…ケーブルモデムモジュール
２０３…ＲＦコネクタ
２０４…チューナ部
２０５…テレビジョン信号処理部
２０６…映像信号出力端子
２０７…音声信号出力端子
２０８…イーサネット（登録商標）端子
３０１…アナログ信号処理部
３０２…デジタル信号処理部
４０１…デジタル信号処理部用回路基板（第２の回路基板）
４０２…アナログ信号処理部用回路基板（第１の回路基板）
４０３…アナログ信号処理部用シールドケース（第１のシールドケース）
４０４…端子群
４０５…デジタル信号処理部用シールドケース（第２のシールドケース）
【図１】
2006060474.tif 000003
【図２】
2006060474.tif 000004
【図３】
2006060474.tif 000005
【図４】
2006060474.tif 000006
【図５】
2006060474.tif 000007
【図６】
2006060474.tif 000008
【図７】
2006060474.tif 000009
【図８】
2006060474.tif 000010
【図９】
2006060474.tif 000011
【図１０】
2006060474.tif 000012
【図１１】
2006060474.tif 000013
【図１２】
2006060474.tif 000014
【図１３】
2006060474.tif 000015
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
第１のコネクタと、
この第１のコネクタを介して供給される第１の信号を受信すると共に、第２の信号を前
記第１のコネクタを介して送出する送受信分波手段、この送受信分波手段で受信された前
記第１の信号を分配する分配手段、この分配手段で分配された信号の周波数を変換する周
波数変換手段とをそれぞれ構成する回路が搭載された第1の回路基板を有した第１の信号
処理部と、
この第１の信号処理部を電磁的にシールドする第１のシールド手段と、
前記第１のシールド手段でシールドされた第１の信号処理部が搭載されると共に、外部
機器との間で信号の送受信処理を行う送受信処理部及び前記第１の信号処理部から出力さ
れる信号を処理して前記送受信処理部を介して前記外部機器に導出し、該外部機器からの
信号を処理して前記第1のコネクタから導出すべく前記送受信分波手段に出力する変復調
処理部とをそれぞれ構成する回路が搭載された第２の回路基板を有した第２の信号処理部
と、
前記第１のシールド手段でシールドされた第１の信号処理部と前記第２の信号処理部と
を電磁的にシールドする第２のシールド手段と、
前記分配手段で分配された信号を外部に導出すべく、前記第１のシールド手段及び第２
のシールド手段によって覆われることなく、コネクタとの接続を許容するように前記第1
の回路基板に設けられた第２のコネクタと、
を具備したことを特徴とするケーブルモデムモジュール装置。
【請求項２】
前記第２のコネクタは、前記第２の回路基板の面と平行な方向に配設されていることを
特徴とする請求項１に記載のケーブルモデムモジュール装置。
【請求項３】
前記第２のコネクタは、前記第２のシールド手段に接触しないように配設されているこ
とを特徴とする請求項１に記載のケーブルモデムモジュール装置。
【請求項４】
前記第２のシールド手段は、その前記第２のコネクタに対応する位置に切欠きが設けら
れていることを特徴とする請求項３に記載のケーブルモデムモジュール装置。
【請求項５】
第１のコネクタと、
この第１のコネクタを介して供給される第１の信号を受信すると共に、第２の信号を前
記第１のコネクタを介して送出する送受信分波手段、この送受信分波手段で受信された前
記第１の信号を分配する分配手段、この分配手段で分配された信号の周波数を変換する周
波数変換手段とをそれぞれ構成する回路が搭載された第1の回路基板を有した第１の信号
処理部と、
この第１の信号処理部を電磁的にシールドする第1のシールド手段と、
前記第１のシールド手段でシールドされた第１の信号処理部が搭載されると共に、外部
機器との間で信号の送受信処理を行う送受信処理部及び前記第１の信号処理部から出力さ
れる信号を処理して前記送受信処理部を介して前記外部機器に導出し、該外部機器からの
信号を処理して前記第1のコネクタから導出すべく前記送受信分波手段に出力する変復調
処理部とをそれぞれ構成する回路が搭載された第２の回路基板を有した第２の信号処理部
と、
前記第１のシールド手段でシールドされた第１の信号処理部と前記第２の信号処理部と
を電磁的にシールドする第２のシールド手段と、
前記分配手段で分配された信号を外部に導出すべく、前記第１のシールド手段及び第２
のシールド手段によって覆われることなく、コネクタとの接続を許容するように前記第1
の回路基板に設けられた第２のコネクタと、
この第２のコネクタを介して前記分配手段で分配された信号を受けるチューナと、
を具備したことを特徴とするケーブルモデム装置。
【請求項６】
第１のコネクタと、
この第１のコネクタを介して供給される第１の信号を受信すると共に、第２の信号を前
記第１のコネクタを介して送出する送受信分波手段、この送受信分波手段で受信された前
記第１の信号を分配する分配手段、この分配手段で分配された信号の周波数を変換する周
波数変換手段とをそれぞれ構成する回路が搭載された第1の回路基板を有した第１の信号
処理部と、
この第１の信号処理部を電磁的にシールドする第1のシールド手段と、
前記第１のシールド手段でシールドされた第１の信号処理部が搭載されると共に、外部
機器との間で信号の送受信処理を行う送受信処理部及び前記第１の信号処理部から出力さ
れる信号を処理して前記送受信処理部を介して前記外部機器に導出し、該外部機器からの
信号を処理して前記第1のコネクタから導出すべく前記送受信分波手段に出力する変復調
処理部とをそれぞれ構成する回路が搭載された第２の回路基板を有した第２の信号処理部
と、
前記第１のシールド手段でシールドされた第１の信号処理部と前記第２の信号処理部と
を電磁的にシールドする第２のシールド手段と、
前記分配手段で分配された信号を外部に導出すべく、前記第１のシールド手段及び第２
のシールド手段によって覆われることなく、コネクタとの接続を許容するように前記第1
の回路基板に設けられた第２のコネクタと、
この第２のコネクタを介して前記分配手段で分配された信号を受ける第１のチューナと
、
テレビジョン放送信号を伝送するケーブルと接続可能な第３のコネクタと、
この第３のコネクタを介して前記テレビジョン放送信号を受ける第２のチューナと、
を具備したことを特徴とする放送受信装置。
【手続補正２】
【補正対象書類名】明細書
【補正対象項目名】００１６
【補正方法】変更
【補正の内容】
【００１６】
本発明のケーブルモデムモジュール装置は、第１のコネクタと、この第１のコネクタ
を介して供給される第１の信号を受信すると共に、第２の信号を前記第１のコネクタを介
して送出する送受信分波手段、この送受信分波手段で受信された前記第１の信号を分配す
る分配手段、この分配手段で分配された信号の周波数を変換する周波数変換手段とをそれ
ぞれ構成する回路が搭載された第１の回路基板を有した第１の信号処理部と、この第１の
信号処理部を電磁的にシールドする第１のシールド手段と、前記第１のシールド手段でシ
ールドされた第１の信号処理部が搭載されると共に、外部機器との間で信号の送受信処理
を行う送受信処理部及び前記第１の信号処理部から出力される信号を処理して前記送受信
処理部を介して前記外部機器に導出し、該外部機器からの信号を処理して前記第１のコネ
クタから導出すべく前記送受信分波手段に出力する変復調処理部とをそれぞれ構成する回
路が搭載された第２の回路基板を有した第２の信号処理部と、前記第１のシールド手段で
シールドされた第１の信号処理部と前記第２の信号処理部とを電磁的にシールドする第２
のシールド手段と、前記分配手段で分配された信号を外部に導出すべく、前記第１のシー
ルド手段及び第２のシールド手段によって覆われることなく、コネクタとの接続を許容す
るように前記第1の回路基板に設けられた第２のコネクタと、を具備したことを特徴とす
る。  
【手続補正３】
【補正対象書類名】明細書
【補正対象項目名】００１７
【補正方法】変更
【補正の内容】
【００１７】
本発明のケーブルモデム装置は、第１のコネクタと、この第１のコネクタを介して供
給される第１の信号を受信すると共に、第２の信号を前記第１のコネクタを介して送出す
る送受信分波手段、この送受信分波手段で受信された前記第１の信号を分配する分配手段
、この分配手段で分配された信号の周波数を変換する周波数変換手段とをそれぞれ構成す
る回路が搭載された第1の回路基板を有した第１の信号処理部と、この第１の信号処理部
を電磁的にシールドする第1のシールド手段と、前記第１のシールド手段でシールドされ
た第１の信号処理部が搭載されると共に、外部機器との間で信号の送受信処理を行う送受
信処理部及び前記第１の信号処理部から出力される信号を処理して前記送受信処理部を介
して前記外部機器に導出し、該外部機器からの信号を処理して前記第1のコネクタから導
出すべく前記送受信分波手段に出力する変復調処理部とをそれぞれ構成する回路が搭載さ
れた第２の回路基板を有した第２の信号処理部と、前記第１のシールド手段でシールドさ
れた第１の信号処理部と前記第２の信号処理部とを電磁的にシールドする第２のシールド
手段と、前記分配手段で分配された信号を外部に導出すべく、前記第１のシールド手段及
び第２のシールド手段によって覆われることなく、コネクタとの接続を許容するように前
記第1の回路基板に設けられた第２のコネクタと、この第２のコネクタを介して前記分配
手段で分配された信号を受けるチューナと、を具備したことを特徴とする。
【手続補正４】
【補正対象書類名】明細書
【補正対象項目名】００１８
【補正方法】変更
【補正の内容】
【００１８】
本発明の放送受信装置は、第１のコネクタと、この第１のコネクタを介して供給され
る第１の信号を受信すると共に、第２の信号を前記第１のコネクタを介して送出する送受
信分波手段、この送受信分波手段で受信された前記第１の信号を分配する分配手段、この
分配手段で分配された信号の周波数を変換する周波数変換手段とをそれぞれ構成する回路
が搭載された第１の回路基板を有した第１の信号処理部と、この第１の信号処理部を電磁
的にシールドする第1のシールド手段と、前記第１のシールド手段でシールドされた第１
の信号処理部が搭載されると共に、外部機器との間で信号の送受信処理を行う送受信処理
部及び前記第１の信号処理部から出力される信号を処理して前記送受信処理部を介して前
記外部機器に導出し、該外部機器からの信号を処理して前記第1のコネクタから導出すべ
く前記送受信分波手段に出力する変復調処理部とをそれぞれ構成する回路が搭載された第
２の回路基板を有した第２の信号処理部と、前記第１のシールド手段でシールドされた第
１の信号処理部と前記第２の信号処理部とを電磁的にシールドする第２のシールド手段と
、前記分配手段で分配された信号を外部に導出すべく、前記第１のシールド手段及び第２
のシールド手段によって覆われることなく、コネクタとの接続を許容するように前記第1
の回路基板に設けられた第２のコネクタと、この第２のコネクタを介して前記分配手段で
分配された信号を受ける第１のチューナと、テレビジョン放送信号を伝送するケーブルと
接続可能な第３のコネクタと、この第３のコネクタを介して前記テレビジョン放送信号を
受ける第２のチューナと、を具備したことを特徴とする。
【手続補正５】
【補正対象書類名】明細書
【補正対象項目名】００２１
【補正方法】変更
【補正の内容】
【００２１】
このＣＡＴＶセンター局１０１は、ＣＡＴＶケーブル１０２を介して各加入者宅１０
３に設置されたケーブルモデム装置１０４に接続されている。また、ＣＡＴＶセンター局
１０１は、例えばインターネット等の各種ネットワーク情報網１０５に接続されている。
【手続補正６】
【補正対象書類名】明細書
【補正対象項目名】００３５
【補正方法】変更
【補正の内容】
【００３５】
ＭＡＣ部３１３は、下りデータをＩ／Ｆ３１６を介して、イーサネット（登録商標）
端子２０８に接続されたＰＣ１０７に導出し、ＰＣ１０７からの上りデータを、ＭＡＣ部
３１３を介してＬＳＩトランシーバ３１２に送り、変調及びアナログ変換処理を施して増
幅器３０８を介してダイプレクサ３０３に導出する。
【手続補正７】
【補正対象書類名】明細書
【補正対象項目名】００４２
【補正方法】変更
【補正の内容】
【００４２】
さらにアナログ信号処理部３０１は、一端部が回路基板４０２に接続され、他端部が
シールドケース４０３を挿通して外方に突出される、アナログ信号入出力用の端子群４０
４を備えている。それによって、アナログ信号処理部３０１は、その端子群４０４の他端
部を回路基板４０１に接続することにより、回路基板４０１に実装されたデジタル信号処
理部３０２と接続されている。
【手続補正８】
【補正対象書類名】明細書
【補正対象項目名】００４９
【補正方法】変更
【補正の内容】
【００４９】
図７は、図４，６のケーブルモデムモジュール装置２０２において、アナログ信号処
理部３０１のみを取り出して、そのシールドケース４０３を開放した状態を示すもので、
回路基板４０２にＲＦコネクタ２０３が配設され、シールドケース４０３に設けた開口部
７０１から、ＲＦコネクタ２０３の先端が突出するようにシールドケース４０３が組み立
てられる。